(57)【要約】【課題】データ集積回路の出力チャンネルの数を減少させることができるようにしたエレクトロルミネセンス表示装置を提供する。【解決手段】複数のデータ電極ラインと複数のスキャン電極ラインの交差部毎に形成された画素セルを含めて、各画素が少なくとも一つのスキャン電極ラインに接続されるエレクトロルミネセンス表示パネルと、前記複数のデータ電極ラインの中の少なくとも二つのデータ電極ラインに選択的にデータ信号を供給するためのマルチプレクサとを具備する。【選択図】図４
2005309375.tif 000002
【特許請求の範囲】
【請求項１】
複数のデータ電極ラインと複数のスキャン電極ラインの交差部毎に形成された画素セルを含めて、前記各画素が少なくとも一つのスキャン電極ラインに接続されるエレクトロルミネセンス表示パネルと、
前記複数のデータ電極ライン中の少なくとも二つのデータ電極ラインに選択的にデータ信号を供給するためのマルチプレクサと
を具備することを特徴とするエレクトロルミネセンス表示装置。
【請求項２】
前記マルチプレクサに電流信号を供給するためのデータ駆動回路と、前記マルチプレクサに少なくとも第１及び第２選択信号を供給するための制御部とをさらに具備することを特徴とする請求項１記載のエレクトロルミネセンス表示装置。
【請求項３】
前記データ電極ラインの数はｍ（ｍは０より大きい正の整数）であり、前記データ駆動回路は前記マルチプレクサに接続されたｍ／２個の出力チャンネルを具備することを特徴とする請求項２記載のエレクトロルミネセンス表示装置。
【請求項４】
前記マルチプレクサは少なくとも第１及び第２スイッチ素子を具備し、前記第１スイッチ素子は前記出力チャンネルと奇数スキャン電極ラインに接続された前記画素セルのデータ電極ラインと前記出力チャンネルに接続され、第２スイッチ素子は偶数スキャン電極ラインに接続された前記画素セルのデータ電極ラインと前記出力チャンネルに接続されることを特徴とする請求項３記載のエレクトロルミネセンス表示装置。
【請求項５】
前記画素セルはｋ（ｋは１より大きい整数）単位で前記奇数及び偶数スキャン電極ラインの中の一つにジグザグ状に接続されることを特徴とする請求項４記載のエレクトロルミネセンス表示装置。
【請求項６】
前記第１スイッチ素子は前記制御部からの第１選択信号に応答して前記出力チャンネルを前記奇数スキャン電極ラインに接続された前記画素セルに接続される前記データ電極ラインに接続され、前記第２スイッチ素子は前記制御部からの第２選択信号に応答して前記出力チャンネルを前記偶数スキャン電極ラインに接続された前記画素セルに接続される前記データ電極ラインに接続されることを特徴とする請求項５記載のエレクトロルミネセンス表示装置。
【請求項７】
第１半周期期間、前記第１選択信号はオン状態であり、前記第２選択信号はオフ状態であり、第２半周期期間、前記１選択信号はオフ状態であり、前記第２選択信号はオン状態であることを特徴とする請求項６記載のエレクトロルミネセンス表示装置。
【請求項８】
前記スキャン電極ラインにスキャンパルスを供給するスキャン駆動回路をさらに具備し、前記スキャンパルスは半周期期間の内にオン状態になることを特徴とする請求項７記載のエレクトロルミネセンス表示装置。
【請求項９】
前記画素セルは電流駆動画素セルを具備することを特徴とする請求項８記載のエレクトロルミネセンス表示装置。
【請求項１０】
前記画素セルのそれぞれは、供給電圧源と基底電圧源の間に接続された発光セルと、前記供給電圧源と前記発光セルの間に接続された駆動スイッチと、前記スキャン電極ラインと前記データ電極ラインに接続された第１スイッチと、前記供給電圧源と前記第１スイッチに接続されると共に前記駆動スイッチと電流ミラー回路を形成する変換スイッチと、前記駆動スイッチと前記変換スイッチの間のノードと前記第１スイッチ及び前記スキャン電極ラインに接続される第２スイッチと、前記駆動スイッチと前記変換スイッチの間のノードと前記供給電圧源の間に接続されるキャパシティとを具備することを特徴とする請求項９記載のエレクトロルミネセンス表示装置。
【請求項１１】
前記第１及び第２スイッチは同時にターン・オフされることを特徴とする請求項１０記載のエレクトロルミネセンス表示装置。
【請求項１２】
前記マルチプレクサは前記エレクトロルミネセンス表示パネルの中にあることを特徴とする請求項１記載のエレクトロルミネセンス表示装置。
【請求項１３】
前記電極ラインは４個のスキャン電極ラインを単位とし、同一のローラインでの前記画素セルは前記スキャン電極ラインの単位中の二つの電極ラインに接続されることを特徴とする請求項１記載のエレクトロルミネセンス表示装置。
【請求項１４】
前記画素セルはｋ（ｋは１より大きい整数）個を単位にし、画素セル単位は前記スキャン電極ライン中の第１及び第２スキャン電極ラインまたは第３及び第４スキャン電極ラインに接続されることを特徴とする請求項１３記載のエレクトロルミネセンス表示装置。
【請求項１５】
前記マルチプレクサに前記データ信号を供給するためのデータ駆動回路と、前記マルチプレクサに前記第１及び第２選択信号を供給するための制御部とをさらに具備することを特徴とする請求項１４記載のエレクトロルミネセンス表示装置。
【請求項１６】
前記データ電極ラインの数はｍ（ｍは０より大きい正の整数）個であり、前記データ駆動回路は前記マルチプレクサに接続されたｍ／２個の出力チャンネルを具備することを特徴とする請求項１５記載のエレクトロルミネセンス表示装置。
【請求項１７】
前記マルチプレクサは少なくとも一つの第１スイッチと第２スイッチとを具備し、前記第１スイッチは前記スキャン電極ラインの単位中の前記第１及び第２スキャン電極ラインに接続された前記画素セルに接続される前記データ電極ラインと前記出力チャンネルに接続され、前記第２スイッチ素子は前記スキャン電極単位の中の前記第３及び第４スキャン電極ラインに接続された前記画素セルに接続される前記データ電極ラインと前記出力チャンネルに接続されることを特徴とする請求項１６記載のエレクトロルミネセンス表示装置。
【請求項１８】
前記第１スイッチは前記制御部からの第１選択信号に応答して前記出力チャンネルを前記第１および第２スキャン電極ラインに接続された画素セルに接続される前記データ電極ラインに接続させ、前記第２スイッチは前記制御部からの第２選択信号に応答して前記出力チャンネルを前記第３及び第４スキャン電極ラインに接続された画素セルに接続されるデータ電極ラインに接続させることを特徴とする請求項１７記載のエレクトロルミネセンス表示装置。
【請求項１９】
第１半周期期間、前記第１選択信号はオン状態であり、前記第２選択信号はオフ状態であり、第２半周期期間、前記１選択信号はオフ状態であり、前記第２選択信号はオン状態であることを特徴とする請求項１８記載のエレクトロルミネセンス表示装置。
【請求項２０】
前記スキャン電極ラインにスキャンパルスを供給するためのスキャン駆動回路をさらに具備し、二つの前記スキャンパルスは半周期期間順次オン状態になって二つのスキャン電極ラインの単位に前記スキャン電極ラインを駆動することを特徴とする請求項１９記載のエレクトロルミネセンス表示装置。
【請求項２１】
前記画素セルのそれぞれは、供給電圧源と基底電圧源の間に接続された発光セルと、前記供給電圧源と前記発光セルの間に接続された駆動スイッチと、前記スキャン電極ラインと前記データ電極ラインに接続された第１スイッチと、前記供給電圧源と前記第１スイッチに接続されると共に前記駆動スイッチと電流ミラー回路を形成する変換スイッチと、前記駆動スイッチと前記変換スイッチの間のノードと前記第１スイッチ及び前記スキャン電極ラインに接続される第２スイッチと、前記駆動スイッチと前記変換スイッチの間のノードと前記供給電圧源のいあだに接続されるキャパシティとを具備することを特徴とする請求項２０記載のエレクトロルミネセンス表示装置。
【請求項２２】
前記第１及び第２スイッチは半周期期間の内に順次ターン・オフされることを特徴とする請求項２1記載のエレクトロルミネセンス表示装置。
【発明の詳細な説明】
【技術分野】
【０００１】
本発明はエレクトロルミネセンス表示装置に関するもので、特にデータ駆動集積回路の出力チャンネルの数を減少させることができるようにしたエレクトロルミネセンス表示装置に関するものである。
【背景技術】
【０００２】
最近、陰極線管の短所である重さと嵩を減らすことができる各種の平板表示装置が開発されている。このような平板表示装置としては、液晶表示装置（Ｌｉｑｕｉｄ  ＣｒｙｓＴａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）及びエレクトロルミネセンス（Ｅｌｅｃｔｒｏ−Ｌｕｍｉｎｅｓｃｎｃｅ：以下、「ＥＬ」という）表示装置がある。
【０００３】
ここで、ＥＬ表示装置は、電子と正孔の再結合で蛍光物質を発光させる自発光素子として、その材料及び構造によって無機ＥＬと有機ＥＬに大別される。このＥＬ表示装置は、液晶表示装置のように別途の光源を必要とする受身型の発光素子に比べて陰極速度が陰極線管のような速い応答速度を有する長所を有している。
【０００４】
図１は、ＥＬ表示装置の発光原理を説明するための一般的な有機ＥＬ構造を図示した図面である。ＥＬ表示装置の中の有機ＥＬは、陰極２と陽極１４の間に積層された電子注入層４、電子輸送層６、発光層８、正孔輸送層１０、正孔注入層１２とを具備する。
【０００５】
透明電極である陽極１４と金属電極である陰極２の間に電圧を印加すると、陰極２から発生された電子は電子注入層４及び電子輸送層６を通して発光層８側に移動する。また、陽極１４から発生された正孔は正孔注入層１２及び正孔輸送層１０を通して発光層８側に移動する。これにより、発光層８では電子輸送層６と正孔輸送層１０から供給された電子と正孔が衝突して再結合することにより、光が発生するようになり、この光は透明電極である陽極１４を通して外部に放出されて画像が表示されるようにする。
【０００６】
このようなＥＬ素子を利用する従来のＥＬ表示装置は、図２に示されるように、スキャン電極ライン（ＳＬ１乃至ＳＬｎ）とデータ電極ライン（ＤＬ１乃至ＤＬｍ）の交差部に定義された領域毎に配列された画素セル２２を含むＥＬ表示パネル１６と、スキャン電極ライン（ＳＬ１乃至ＳＬｎ）を駆動するためのスキャン駆動集積回路（Ｓｃａｎ  Ｄｒｉｖｅｒ  Ｉｎｔｅｇｒａｔｅｄ  Ｃｉｒｃｕｉｔ：以下、“スキャンＤ−ＩＣ”という）１８と、データ電極ライン（ＤＬ１乃至ＤＬｍ）を駆動するためのデータ駆動集積回路（Ｄａｔａ  Ｄｒｉｖｅｒ  Ｉｎｔｅｇｒａｔｅｄ  Ｃｉｒｃｕｉｔ：以下、“データＤ−ＩＣ”という）２０と、データＤ−ＩＣ２０及びスキャンＤ−ＩＣ１８のそれぞれの駆動タイミングを制御するためのタイミング制御部２８とを具備する。
【０００７】
画素セル２２のそれぞれは、供給電圧源（ＶＤＤ）と、供給電圧源（ＶＤＤ）と基底電圧源（ＧＮＤ）の間に接続された発光セル（ＯＬＥＤ）と、データ電極ライン（ＤＬ）とスキャン電極ライン（ＳＬ）のそれぞれから供給される駆動信号に基づいて発光セル（ＯＬＥＤ）を駆動させるための発光セル駆動回路３０とを具備する。
【０００８】
発光セル駆動回路３０は、供給電圧源（ＶＤＤ）と発光セル（ＯＬＥＤ）の間に接続された駆動ＴＦＴ（ＤＴ）と、スキャン電極ライン（ＳＬ）とデータ電極ライン（ＤＬ）に接続された第１スイッチングＴＦＴ（Ｔ１）と、第１スイッチングＴＦＴ（Ｔ１）と駆動ＴＦＴ（ＤＴ）に接続された第２スイッチングＴＦＴ（Ｔ２）と、第１及び第２スイッチングＴＦＴ（Ｔ１、Ｔ２）の間のノードと供給電圧源（ＶＤＤ）の間に接続されて駆動ＴＦＴ（ＤＴ）と電流ミラー（Ｃｕｒｒｅｎｔ  Ｍｉｒｒｏｒ）回路を形成して電流を電圧に変換する変換ＴＦＴ（ＭＴ）と、駆動ＴＦＴ（ＤＴ）と変換ＴＦＴ（ＭＴ）のそれぞれのゲート端子と供給電圧源（ＶＤＤ）の間に接続されたストリッジキャパシティ（Ｃｓｔ）とを具備する。ここで、ＴＦＴはＰタイプの電子金属酸化膜の半導体電界効果のトランジスタ（ＭＯＳＦＥＴ，Ｍｅｔａｌ−Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）である。
【０００９】
駆動ＴＦＴ（ＤＴ）のゲート端子は変換ＴＦＴ（ＭＴ）のゲート端子に接続され、ソース端子は供給電圧源（ＶＤＤ）に接続されると共にドレーン端子は発光セル（ＯＬＥＤ）に接続される。変換ＴＦＴ（ＭＴ）のソース端子は供給電圧源（ＶＤＤ）に接続され、ドレーン端子は第１スイッチングＴＦＴ（Ｔ１）のドレーン端子と第２スイッチングＴＦＴ（Ｔ２）のソース端子に接続される。第１スイッチングＴＦＴ（Ｔ１）のドレーン端子はデータ電極ライン（ＤＬ）に接続され、ドレーン端子は第２スイッチングＴＦＴ（Ｔ２）のソース端子に接続される。第２スイッチングＴＦＴ（Ｔ２）のドレーン端子は駆動ＴＦＴ（ＤＴ）及び変換ＴＦＴ（ＭＴ）のそれぞれのゲート端子はスキャン電極ライン（ＳＬ）に接続される。一方、変換ＴＦＴ（ＭＴ）と駆動ＴＦＴ（ＤＴ）は電流ミラー回路を形成するように隣接に形成されるために同一の特性を有するものと仮定する場合、変換ＴＦＴ（ＭＴ）と駆動ＴＦＴ（ＤＴ）を同一の大きさで形成すると変換ＴＦＴ（ＭＴ）と駆動ＴＦＴ（ＤＴ）に流れる電流量は同一になる。
【００１０】
タイミング制御部２８は、外部システム（例えば、グラフィックカード）から供給される同期信号を利用してデータＤ−ＩＣ２０を制御するためのデータ信号及びスキャンＤ−ＩＣ１８を制御するためのスキャン制御信号を生成する。また、タイミング制御部２８は、外部システムから供給されるデータ信号をデータＤ−ＩＣ２０に供給する。
【００１１】
スキャンＤ−ＩＣ１８は、タイミング制御部２８からのスキャン制御信号に応答してスキャンパルス（ＳＰ）を発生して、スキャンパルス（ＳＰ）を図３に示すようにスキャン電極ライン（ＳＬ１乃至ＳＬｎ）に供給してデータ電極ライン（ＤＬ１乃至ＤＬｍ）を順次駆動する。
【００１２】
データＤ−ＩＣ２０は、タイミング制御部２８からのデータ制御信号に基づいて水平期間（１Ｈ）毎にデータ信号に応答する電流レベルまたはパルス幅を有する電流信号をデータ電極ライン（ＤＬ１乃至ＤＬｍ）に供給する。この際、データＤ−ＩＣ２０は、データ電極ライン（ＤＬ１乃至ＤＬｍ）と１対１対応するＤＬｍ個の出力チャンネル２１を有する。
【００１３】
このようなＥＬ表示装置は、入力データに比例する電流レベルまたはパルス幅を有する電流信号を画素セル２２に供給するようになる。そして、画素セル２２のそれぞれはデータ電極ライン（ＤＬ）から供給される電流の量に比例して発光するようになる。
【００１４】
このような従来のＥＬ表示装置は、ロー（Ｒｏｗ）方向にスキャンＤ−ＩＣ１８がＥＬ表示パネル１６に一体化されて、コラム（Ｃｏｌｕｍｎ）方向にデータＤ−ＩＣ２０はデータ電極ライン（ＤＬ１乃至ＤＬｍ）と１対１対応する。このような従来のＥＬ表示装置は、データＤ−ＩＣ２０とデータ電極ライン（ＤＬ１乃至ＤＬｍ）と１対１対応しているためにそれぞれのデータ電極ライン（ＤＬ１乃至ＤＬｍ）の数に当たるデータＤ−ＩＣ２０の出力チャンネル２１の数を必要とするようになる。これにより、従来のＥＬ表示装置ではデータＤ−ＩＣ２０の価格が増加するようになる。さらに、従来のＥＬ表示装置では、データＤ−ＩＣ２０の出力チャンネル２１の数に従ってデータＤ−ＩＣ２０の大きさが増加されるにつれてＥＬ表示パネル１６の大きさが増加するようになる。
【発明の開示】
【発明が解決しようとする課題】
【００１５】
従って、本発明の目的はデータ集積回路の出力チャンネルの数を減少させることができるようにしたエレクトロルミネセンス表示装置を提供することである。
【課題を解決するための手段】
【００１６】
前記目的を達成するために、本発明によるエレクトロルミネセンス表示装置は、複数のデータ電極ラインと複数のスキャン電極ラインの交差部毎に形成された画素セルを含めて、前記各画素が少なくとも一つのスキャン電極ラインに接続されるエレクトロルミネセンス表示パネルと、前記複数のデータ電極ラインの中の少なくとも二つのデータ電極ラインに選択的にデータ信号を供給するためのマルチプレクサとを具備する。
【発明を実施するための最良の形態】
【００１７】
以下、図４乃至図７を参照して本発明の好ましい実施の形態を対して詳細に説明する。図４を参照すると、本発明の第１の実施の形態によるエレクトロルミネセンス（Ｅｌｅｃｔｒｏ−Ｌｕｍｉｎｅｓｃｅｎｃｅ：以下、“ＥＬ”という）表示装置は、スキャン電極ライン（ＳＬ１乃至ＳＬ２ｎ）とデータ電極ライン（ＤＬ１乃至ＤＬｍ）の交差部に定義された領域毎に配列された画素セル１２２を含むＥＬ表示パネル１１６と、スキャン電極ライン（ＳＬ１乃至ＳＬ２ｎ）を駆動するためのスキャン駆動集積回路（Ｓｃａｎ  Ｄｒｉｖｅｒ  Ｉｎｔｅｇｒａｔｅｄ  Ｃｉｒｃｕｉｔ：以下、“スキャンＤ−ＩＣ”という）１１８と、データ電極ライン（ＤＬ１乃至ＤＬｍ）を駆動するためのデータ駆動集積回路（Ｄａｔａ  Ｄｒｉｖｅｒ  Ｉｎｔｅｇｒａｔｅｄ  Ｃｉｒｃｕｉｔ：以下、“データＤ−ＩＣ”という）１２０と、データＤ−ＩＣ１２０の出力チャンネルの中の出力チャンネルのそれぞれをｊ個（ただ、ｊは２以上の０より大きい正の整数正の整数）のデータ電極ライン（ＤＬ１乃至ＤＬｊ）に選択的に接続させるためのマルチプレクサ部１５０と、データＤ−ＩＣ１２０及びスキャンＤ−ＩＣ１１８のそれぞれの駆動タイミングを制御するためのタイミング制御部１２８とを具備する。
【００１８】
画素セル１２２の中の水平方向に隣接したｋ個（ただ、ｋは２以上の０より大きい正の整数正の整数）の画素セル１２２は、奇数番目のスキャン電極ライン（ＳＬ１，ＳＬ３乃至ＳＬ２ｎ−１）のそれぞれに接続されて、ｋ個の画素セル１２２の間のｈ個（ただし、ｈはｋのような０より大きい正の整数正の整数正の整数）の画素セル１２２は偶数番目のスキャン電極ライン（ＳＬ２，ＳＬ４乃至ＳＬ２ｎ）のそれぞれに接続される。換言すると、水平方向の画素セル１２２はｋ個の単位で奇数番目のスキャン電極ライン（ＳＬ１，ＳＬ３乃至ＳＬ２ｎ−１）に接続されると共に偶数番目のスキャン電極ライン（ＳＬ２，ＳＬ４乃至ＳＬ２ｎ）に接続される。結果的に、水平方向の画素セル１２２はｋ個の単位で奇数番目のスキャン電極ライン（ＳＬ１，ＳＬ３乃至ＳＬ２ｎ−１）及び偶数番目のスキャン電極ライン（ＳＬ２，ＳＬ４乃至ＳＬ２ｎ）にジグザグ（Ｚｉｇｚａｇ）状に接続される。この際、本発明の第１の実施の形態によるＥＬ表示装置では、前記ｋを３に仮定して説明する。これに基づき、水平方向の画素セルは、隣接した一つの画素、即ち赤色、緑色及び青色画素セル１２２の３個を単位として奇数番目のスキャン電極ライン（ＳＬ１，ＳＬ３乃至ＳＬ２ｎ−１）及び偶数番目のスキャン電極ライン（ＳＬ２，ＳＬ４乃至ＳＬ２ｎ）にジグザグ状に接続される。
【００１９】
このような画素セル１２２は、供給電圧源（ＶＤＤ）と、供給電圧源（ＶＤＤ）と基底電圧源（ＧＮＤ）の間に接続された発光セル（ＯＬＥＤ）と、データ電極ライン（ＤＬ）とスキャン電極ライン（ＳＬ）のそれぞれから供給される駆動信号につれて発光セル（ＯＬＥＤ）を駆動させるための発光セル駆動回路１３０とをそれぞれ具備する。
【００２０】
発光セル駆動回路１３０は、供給電圧源（ＶＤＤ）と発光セル（ＯＬＥＤ）の間に接続された駆動ＴＦＴ（ＤＴ）と、スキャン電極ライン（ＳＬ）とデータ電極ライン（ＤＬ）に接続された第１スイッチングＴＦＴ（Ｔ１）と、第１スイッチングＴＦＴ（Ｔ１）と駆動ＴＦＴ（ＤＴ）に接続された第２スイッチングＴＦＴ（Ｔ２）と、第１及び第２スイッチングＴＦＴ（Ｔ１、Ｔ２）の間のノードと供給電圧源（ＶＤＤ）の間に接続されて駆動ＴＦＴ（ＤＴ）と電流ミラー（Ｃｕｒｒｅｎｔ  Ｍｉｒｒｏｒ）回路を形成して電流を電圧に変換する変換ＴＦＴ（ＭＴ）と、駆動ＴＦＴ（ＤＴ）と変換ＴＦＴ（ＭＴ）のそれぞれのゲート端子と供給電圧源（ＶＤＤ）の間に接続されたストリッジキャパシティ（Ｃｓｔ）とを具備する。ここで、ＴＦＴは、Ｐ型ＭＯＳＦＥＴである。
【００２１】
駆動ＴＦＴ（ＤＴ）のゲート端子は変換ＴＦＴ（ＭＴ）のゲート端子に接続され、ソース端子は供給電圧源（ＶＤＤ）に接続されると共にドレーン端子は発光セル（ＯＬＥＤ）に接続される。変換ＴＦＴ（ＭＴ）のソース端子は供給電圧源（ＶＤＤ）に接続され、ドレーン端子は第１スイッチングＴＦＴ（Ｔ１）のドレーン端子と第２スイッチングＴＦＴ（Ｔ２）のソース端子に接続される。第１スイッチングＴＦＴ（Ｔ１）のドレーン端子はデータ電極ライン（ＤＬ）に接続され、ドレーン端子は第２スイッチングＴＦＴ（Ｔ２）のソース端子に接続される。第２スイッチングＴＦＴ（Ｔ２）のドレーン端子は駆動ＴＦＴ（ＤＴ）及び変換ＴＦＴ（ＭＴ）のそれぞれのゲート端子及びストリッジキャパシティ（Ｃｓｔ）に接続される。第１及び第２スイッチングＴＦＴ（Ｔ１，Ｔ２）のそれぞれのゲート端子はスキャン電極ライン（ＳＬ）に接続される。一方、変換ＴＦＴ（ＭＴ）と駆動ＴＦＴ（ＤＴ）は電流ミラー回路を形成するように隣接して形成されるために同一の特性を有するものと仮定する場合、変換ＴＦＴ（ＭＴ）と駆動ＴＦＴ（ＤＴ）を同一の大きさで形成すると変換ＴＦＴ（ＭＴ）と駆動ＴＦＴ（ＤＴ）に流れる電流の量は同一になる。
【００２２】
このような本発明の第１の実施の形態によるＥＬ表示装置は、入力データに比例する電流レベルまたはパルス幅を有する電流信号を画素セル１２２に供給するようになる。そして、画素セル１２２はデータ電極ライン（ＤＬ）から供給される電流の量に比例してそれぞれ発光するようになる。
【００２３】
タイミング制御部１２８は、外部システム（例えば、グラフィックカード）から供給される同期信号を利用してデータＤ−ＩＣ１２０を制御するためのデータ信号及びスキャンＤ−ＩＣ１１８を制御するためのスキャン制御信号を生成する。また、タイミング制御部１２８は、外部システムから供給されるデータ信号をデータＤ−ＩＣ１２０に供給する。また、タイミング制御部１２８は、マルチプレクサ部１５０に第１及び第２選択信号（ＣＬＫｍｕｘ１、ＣＬＫｍｕｘ２）を供給する。第１及び第２選択信号（ＣＬＫｍｕｘ１、ＣＬＫｍｕｘ２）は、互いに反対の極性を有する。即ち、第１選択信号（ＣＬＫｍｕｘ１）は奇数番目のスキャン電極ライン（ＳＬ１，ＳＬ３乃至ＳＬ２ｎ−１）にスキャンパルス（ＳＰ）が供給される際にロー状態（ＬＯＷ）になり、偶数番目のスキャン電極ライン（ＳＬ２，ＳＬ４乃至ＳＬ２ｎ）にスキャンパルス（ＳＰ）が供給される際にハイ（ＨＩＧＨ）になる。反対に、第２選択信号（ＣＬＫｍｕｘ２）は奇数番目のスキャン電極ライン（ＳＬ１，ＳＬ３乃至ＳＬ２ｎ−１）にスキャンパルス（ＳＰ）が供給される際にハイ（ＨＩＧＨ）になり、偶数番目のスキャン電極ライン（ＳＬ２，ＳＬ４乃至ＳＬ２ｎ）にスキャンパルス（ＳＰ）が供給される際にロー状態（ＬＯＷ）になる。
【００２４】
スキャンＤ−ＩＣ１１８は、タイミング制御部１２８からのスキャン制御信号に応答してスキャンパルス（ＳＰ）を発生して、スキャンパルス（ＳＰ）を図３に示すようにスキャン電極ライン（ＳＬ１乃至ＳＬ２ｎ）に供給してスキャン電極ライン（ＳＬ１乃至ＳＬ２ｎ）を順次駆動する。
【００２５】
データＤ−ＩＣ１２０は、タイミング制御部１２８からのデータ制御信号に基づいて水平期間（１Ｈ）毎にデータ信号に応答する電流レベルまたはパルス幅を有する電流信号をデータ電極ライン（ＤＬ１乃至ＤＬｍ）に供給する。この際、データＤ−ＩＣ１２０は、データ電極ライン（ＤＬ１乃至ＤＬｍ）と１対１対応するＤＬｍ／２個の出力チャンネル１２１を有する。
【００２６】
マルチプレクサ部１５０は、奇数番目のスキャン電極ライン（ＳＬ１，ＳＬ３乃至ＳＬ２ｎ−１）に接続される第１乃至第３データ電極ライン（ＤＬ１，ＤＬ２，ＤＬ３）のそれぞれに接続される第１乃至第３スイッチング素子（Ｍ１，Ｍ２，Ｍ３）と、偶数番目のスキャン電極ライン（ＳＬ２，ＳＬ４乃至ＳＬ２ｎ）に第４乃至第６データ電極ライン（ＤＬ４，ＤＬ４，ＤＬ６）のそれぞれに接続される第４乃至第６スイッチング素子（Ｍ４，Ｍ５，Ｍ６）とを具備する。この際、第１乃至第３スイッチング素子（Ｍ１，Ｍ２，Ｍ３）と第４乃至第６スイッチング素子（Ｍ４，Ｍ５，Ｍ６）は交互に配置される。
【００２７】
第１乃至第３スイッチング素子（Ｍ１，Ｍ２，Ｍ３）はタイミング制御部１２８から第１選択信号（ＣＬＫｍｕｘ１）が供給される第１選択信号供給ライン１５２にそれぞれ接続され、第４乃至第６スイッチング素子（Ｍ４，Ｍ５，Ｍ６）はタイミング制御部１２８から第２選択信号（ＣＬＫｍｕｘ２）が供給される第２選択信号供給ライン１５４にそれぞれ接続される。また、第１及び第４スイッチング素子（Ｍ１，Ｍ４）と、第２及び第５スイッチング素子（Ｍ２，Ｍ５）と、第３及び第６スイッチング素子（Ｍ３，Ｍ６）は一つのデータＤ−ＩＣ１２０の出力チャンネル１２１にそれぞれ接続される。即ち、データＤ−ＩＣ１２０の出力チャンネル１２１のは２個のスイッチング素子（Ｍ１，Ｍ４）（Ｍ２，Ｍ５）（Ｍ３，Ｍ６）を経由して２個のデータ電極ライン（ＤＬ）にそれぞれ接続される。
【００２８】
このようなマルチプレクサ部１５０は、タイミング制御部１２８から供給される第１及び第２選択信号（ＣＬＫｍｕｘ１、ＣＬＫｍｕｘ２）に基づいてデータＤ−ＩＣ１２０の出力チャンネル１２１のそれぞれを２個のデータ電極ライン（ＤＬ）に選択的に接続させる。
【００２９】
このような本発明の第１の実施の形態によるＥＬ表示装置を図５と結びつけて説明すると次のとおりである。まず、スキャンＤ−ＩＣ１１８からスキャン電極ライン（ＳＬ１乃至ＳＬ２ｎ）に供給されるスキャンパルス（ＳＰ）の幅は１水平区間の半分（１／２Ｈ）に対応する。このような１／２Ｈのパルス幅を有するスキャンパルス（ＳＰ）はスキャン電極ライン（ＳＬ１乃至ＳＬ２ｎ）に順次供給される。
【００３０】
奇数番目のスキャン電極ライン（ＳＬ１，ＳＬ３乃至ＳＬ２ｎ−１）のそれぞれにロー状態のスキャンパルス（ＳＰ）が供給される区間に、マルチプレクサ部１５０は、第１選択信号（ＣＬＫｍｕｘ１）に基づいて第１乃至第３スイッチング素子（Ｍ１，Ｍ２，Ｍ３）をターン・オンさせてデータＤ−ＩＣ１２０の出力チャンネル１２１を通して出力される電流信号を奇数番目のスキャン電極ライン（ＳＬ１，ＳＬ３乃至ＳＬ２ｎ−１）に接続された画素セル１２２に対応するデータ電極ライン（ＤＬ）に供給する。
【００３１】
また、奇数番目のスキャン電極ライン（ＳＬ１，ＳＬ３乃至ＳＬ２ｎ−１）のそれぞれにハイ状態のスキャンパルス（ＳＰ）が供給される区間に、マルチプレクサ部１５０は、第２選択信号（ＣＬＫｍｕｘ２）に基づいて第４乃至第６スイッチング素子（Ｍ４，Ｍ５，Ｍ６）をターン・オンさせてデータＤ−ＩＣ１２０の出力チャンネル１２１を通して出力される電流信号を偶数番目のスキャン電極ライン（ＳＬ２，ＳＬ４乃至ＳＬ２ｎ）に接続された画素セル１２２に対応されるデータ電極ライン（ＤＬ）に供給する。
【００３２】
このような本発明の第１の実施の形態によるＥＬ表示装置は、奇数番目のスキャン電極ライン（ＳＬ１，ＳＬ３乃至ＳＬ２ｎ−１）に供給されるスキャンパルス（ＳＰ）がターン・オフされる際に、マルチプレクサ部１５０の第１乃至第３スイッチング素子（Ｍ１，Ｍ２，Ｍ３）をターン・オフさせ、偶数番目のスキャン電極ライン（ＳＬ２，ＳＬ４乃至ＳＬ２ｎ）に供給されるスキャンパルス（ＳＰ）がターン・オフされる際に、マルチプレクサ部１５０の第４乃至第６スイッチング素子（Ｍ４，Ｍ５，Ｍ６）をターン・オフさせる。
【００３３】
換言すると、本発明の第１の実施の形態によるＥＬ表示装置は、１水平区間中の前半部に、マルチプレクサ部１５０の第１乃至第３スイッチング素子（Ｍ１，Ｍ２，Ｍ３）を利用して奇数番目のスキャン電極ライン（ＳＬ１，ＳＬ３乃至ＳＬ２ｎ−１）に接続された画素セル１２２に電流信号を供給すると共に、１水平区間中の後半部に、マルチプレクサ部１５０の第４乃至第６スイッチング素子（Ｍ４，Ｍ５，Ｍ６）を利用して偶数番目のスキャン電極ライン（ＳＬ２，ＳＬ４乃至ＳＬ２ｎ）に接続された画素セル１２２に電流信号を供給するようになる。
【００３４】
このような本発明の第１の実施の形態によるＥＬ表示装置では、ロー（Ｌｏｗ）方向にスキャンＤ−ＩＣ１１８がＥＬ表示パネル１１６に一体化され、コラム（Ｃｏｌｕｍｎ）方向にデータＤ−ＩＣ１２０の出力チャンネル１２１とデータ電極ライン（ＤＬ１乃至ＤＬｍ）とが１対２マッチングされる。このような、本発明の第１の実施の形態によるＥＬ表示装置は、データＤ−ＩＣ１２０の出力チャンネル１２１とデータ電極ライン（ＤＬ１乃至ＤＬｍ）が１対２マッチングされているために、それぞれのデータ電極ライン（ＤＬ１乃至ＤＬｍ）の数に当たるデータＤ−ＩＣ１２０の出力チャンネル１２１の数を半分に減少させることができる。
【００３５】
これにより、本発明の第１の実施の形態によるＥＬ表示装置では、データＤ−ＩＣ１２０の出力チャンネル１２１の数の減少によってデータＤ−ＩＣ１２０の価格を減少させることができる。さらに、本発明の第１の実施の形態によるＥＬ表示装置では、データＤ−ＩＣ１２０の出力チャンネル１２１の数の減少によってデータＤ−ＩＣ１２０の大きさが減少されることでＥＬ表示パネル１１６の大きさを増加させなくなる。
【００３６】
一方、図６及び図７を参照すると、本発明の第２の実施の形態によるＥＬ表示装置は、一つの画素セル１２２が２個のスキャン電極ライン（ＳＬ）に接続されることを除いては、上述した本発明の第１の実施の形態によるＥＬ表示装置と同一の構造を有する。これにつれて、本発明の第２の実施の形態によるＥＬ表示装置では、画素セル１２２及びスキャン電極ライン（ＳＬ）の説明を除いては同一構成要素に対する説明を省略することにする。
【００３７】
本発明の第２の実施の形態によるＥＬ表示装置は、画素セル１２２のストリッジキャパシティ（Ｃｓｔ）に貯蔵された電圧を安定的に維持させるために、第１及び第２スイッチングＴＦＴ（Ｔ１，Ｔ２）のそれぞれを所定の間隔を置いて順次ターン・オフさせるようになる。この際、第１スイッチングＴＦＴ（Ｔ１）は第２スイッチングＴＦＴ（Ｔ２）より前もってターン・オフされる。このために、第１及び第２スイッチングＴＦＴ（Ｔ１，Ｔ２）のそれぞれがゲート端子は相互に異なるスキャン電極ライン（ＳＬ）に接続される。これによって、本発明の第２の実施の形態によるＥＬ表示装置は、画素セル１２２のスキャン電極ライン（ＳＬ）にジグザグ状に接続されるために、従来より４倍多いスキャン電極ライン（ＳＬ）の数を有するようになる。
【００３８】
このような本発明の第２の実施の形態によるＥＬ表示装置は、上述した本発明の第１の実施の形態によるＥＬ表示装置と同様に駆動される。
【００３９】
一方、本発明の第１及び第２の実施の形態によるＥＬ表示装置は、上述したように、データＤ−ＩＣ１２０の出力チャンネル１２１とデータ電極ライン（ＤＬ１乃至ＤＬｍ）が１対２マッチングされることに限定されることではなく、Ｎ：Ｍ（ただ、ＮはデータＤ−ＩＣ１２０の出力チャンネル１２１の中の一つであり、Ｍはデータ電極ラインの数であり、２以上の０より大きい正の整数正の整数）になることができる。また、本発明の第１及び第２の実施の形態によるＥＬ表示装置でマルチプレクサ部１５０もまたデータＤ−ＩＣ１２０の出力チャンネル１２１とデータ電極ライン（ＤＬ１乃至ＤＬｍ）がＮ対Ｍのマッチングに対応するスイッチング素子を有するようになる。
【００４０】
また、本発明の第１及び第２の実施の形態によるＥＬ表示装置は、すべての電流駆動型のＥＬ表示装置に適用することができる。
【００４１】
上述したように、本発明の実施の形態によるエレクトロルミネセンス表示装置は、エレクトロルミネセンス表示パネルにデータ駆動集積回路の出力チャンネルとデータ電極ラインをＮ対Ｍ（ただ、Ｎは１であり、ＭはＮより大きい０より大きい正の整数正の整数）にマッチングさせるためのマルチプレクサ部を形成すると共に、奇数及び偶数スキャン電極ラインに画素セルをジグザグ状に接続させるようになる。これにより、本発明はデータ電極ラインの数に当たるデータ駆動集積回路の出力チャンネルの数を半分に減少させることができる。また、データ駆動集積回路の出力チャンネルの数の減少によってデータ駆動集積回路の価格を減少させることができる。さらに、データ駆動集積回路の出力チャンネルの数の減少によってコンパックト（Ｃｏｍｐａｃｔ）なエレクトロルミネセンス表示パネルを製作することができる。
【００４２】
以上説明した内容を通して当業者であれば、本発明の技術思想を逸脱しない範囲で多様な変更及び修正が可能であることがわかる。従って、本発明の技術的範囲は詳細な説明に記載された内容に限らず特許請求の範囲により定めなければならない。
【図面の簡単な説明】
【００４３】
【図１】一般的なエレクトロルミネセンス表示パネルの有機発光セルを表す断面図である。
【図２】従来のエレクトロルミネセンス表示装置を概略的に表す図面である。
【図３】図２に示されたスキャン電極ラインに供給されるスキャンパルスを表す波形図である。
【図４】本発明の第１の実施の形態によるエレクトロルミネセンス表示装置を表す図面である。
【図５】図４に示されたスキャン電極ラインに供給されるスキャンパルス、選択信号及びデータ波形を表す波形図である。
【図６】本発明の第２の実施の形態によるエレクトロルミネセンス表示装置を表す図面である。
【図７】図６に示されたスキャン電極ラインに供給されるスキャンパルス、選択信号及びデータ波形を表す波形図である。
【符号の説明】
【００４４】
１１６  ＥＬ表示パネル、１１８  スキャン駆動集積回路、１２０  データ駆動集積回路、１２１  出力チャンネル、１２２  画素セル、１２８  タイミング制御部、１３０  発光セル駆動回路、１５０  マルチプレクサ、１５２  第１選択信号供給ライン、１５４  第２選択信号供給ライン。
【図１】
2005309375.tif 000003
【図２】
2005309375.tif 000004
【図３】
2005309375.tif 000005
【図４】
2005309375.tif 000006
【図５】
2005309375.tif 000007
【図６】
2005309375.tif 000008
【図７】
2005309375.tif 000009